(57)【要約】      （修正有）【課題】三相交流回路の検相作業において、１人で素早く、片手で確実に被接触点端子台に接触出来る三相交流検相器用テストリードを提供する。【解決手段】片手で安全に保持し、三相交流の被接触端子台に正確に接触させることができる様に、三相を束ねて把握できる部分４を設けた。また、指を差し込み安定して操作できる様リング状にした部分３を設けた。それに加えてテストリードの相間隔を指で調整できる様にリング状にした部分２を設けた。更に、三相交流検相器用テストリードの各相の先端部分に、電気的接触を確実にする為、伸縮性円筒状ゴムの内部に２組の編銅線を巻き込み、先端部に差し込める部品１を装着させた。また、先端部に差し込み、装着できるスプリング機能を持たせた部品を部品１に替えて装着できるようにした。尚且つ、従来の検相器のリードに簡単に接続できる様に絶縁クリップ６を設けた構造とした。【選択図】図１
0003147899.tif 000002
【実用新案登録請求の範囲】
【請求項１】
三相交流回路の検相作業において、三相の各相を束ね、片手で保持出来る様に工夫した部分４を有する事を特徴とする三相交流検相器用テストリード。
【請求項２】
請求項１に加えて、一本の指を差し込めるリング状の部分３を有することを特徴とする三相交流検相器用テストリード。
【請求項３】
請求項１に加えて、三相の相間隔を指で調整できるリング状の部分２を有することを特徴とする三相交流検相器用テストリード。
【請求項４】
三相交流検相器用テストリードの各相の先端部に装着する部品であって、伸縮性の円筒状ゴムに二組の編銅線を巻き込んだことを特徴とする１の部品。
【請求項５】
三相交流検相器用テストリードの各相の先端部に装着する部品であって、スプリング機能有すること特徴とする１５の部品。
【考案の詳細な説明】
【技術分野】
【０００１】  本考案の内容は、三相交流回路の検相作業において、安全且つ、すばやく検相作業が出来るよう工夫した三相交流検相器用テストリードの構造に関するものである。
【背景技術】
【０００２】  従来の三相交流検相器を使用して、一人で検相作業をする場合、片手で３本のテストリードを保持しなければならず、各相への接触は不完全となり、また被接触端子台間隔が大きい場合、検相作業はより困難となっている。その為、検相器テストリード操作者と検相器保持者の二人で検相作業をしなければならず、作業能率が非常に悪いものとなっていた。【０００３】  また、従来の三相交流検相器を使用して、一人で検相作業をする場合は、クリップ式のテストリードを各三相端子台にクリップさせる必要があった。クリップする場合にも、その端子台が狭くクリップさせる事が出来ない場合もあり非常に不便で、効率の悪いものであった。
【特許文献１】
【考案の開示】
【考案が解決しようとする課題】
【０００４】  三相交流端子台の被接触点に三相同時に素早くテストリードを片手で接触させて、一人ででも安全に、且つ能率よく検相作業が出来るテストリードを供給すること。【０００５】  三相交流端子台の被接触点に三相同時にテストリードの先端間隔を調整して、相間間隔の異なる三相交流端子台でも、安全、且つ正確に接触させることが出来るようにすること。【０００６】  従来の三相交流検相器に接続して簡単に使用出来るようにすること。
【課題を解決するための手段】
【０００７】  以下図面により説明する。
図１は本考案の基本図面である。【０００８】  図１の４の部分でテストリードを把握し、３のリング状部分に指を差し込み、２の部分に他の指をあてて、先端部装着部品１の先端部間隔を調整し、１の先端部を三相交流回路の端子台の被接触点に接触し易い構造とした。【０００９】  図１の４の部分の内部では、１４のＲ相、Ｓ相、Ｔ相はそれぞれ５のＲ相、Ｓ相、Ｔ相に電気的に接続されており、４の部分は絶縁物となるゴムやプラスチックで、握り易いのもとした。６の部分は従来の三相交流検相器に接続させる為の接続クリップで、図２に示すごとく、Ｒ，Ｓ，Ｔ各相はそれぞれしっかりと従来の三相交流検相器のクリップに接続される。【００１０】  図３は三相交流検相器の先端部装着部品１の構造の外観図で、１１は伸縮性ゴムの中央部に穴を開け、円筒状にしたもので、１２は編銅線であり、１３は保護プラスチックカバーである。  通常のテストリード１４のテストリード導体１４ａを、伸縮性ゴム１１の中に差込むと、１２と１４ａとをしっかりと電気的に接触させることができる。  又、先端部装着部品１は１４ａに対する１３の締め付けを利用して１４に保持させることができる。１１ａは１１の先端部を細くする為に円筒状のゴムの丸みを切り取った部分である。【００１１】  図４、図５は先端部装着部品１に１４を差し込んだ状態の図面で、図４はその横断面詳細図と先端部の表面図面で、図５はその縦断面詳細図と先端部の表面図面である。
又、図４、図５は伸縮性円筒状ゴム１１が編銅線１２を挟んで、１４の導体部１４ａをしっかりと押さえる様子を示す。編銅線１２は１１の外側から来る編銅線と１１の内側から来る編銅線を１２ａの部分で半田付けにされている。【００１２】  図１の先端部装着部品１の替わりに、図６に示す１５の先端部装着部品を利用できる。１５の先端部装着部品は、スプリング１５ｂ、導体１５ａ、ばね状導体１５ｅ、スプリングカバー１５ｃ、保護カバー１５ｄで構成されていて、１５ａの導電体が内部にスライドしても、１５ｅの導体を通じて、１４ａと電気的に確実に接続される。
【考案の効果】
【００１３】  図４、図５で分かるように、先端部装着部品１の先端部１２ｂを被接触端子台の導電部分に、１１の円筒状ゴムの伸縮性を利用して確実に接触させることが出来る。【００１４】  図１の２や３のリング状部分はテストリードの相間間隔の調整の他に、検相時のテストリードの長さ不揃いを吸収する役目も果たし、先端部の接触効果を増す役目も果たしている。【００１５】  従来、二人で行っていた三相交流回路の検相作業が、本考案の三相交流検相器用テストリードを使用することにより一人で、検相作業が簡単に行えるので、検相作業が非常に効率的になる。【００１６】  本考案のテストリードのリード線に接続クリップ６が接続されているので、従来の三相交流検相器に簡単に接続して使用出来る。【００１７】  図６の先端部装着部品１５を通常の各種測定機器類のテストリードの先端部に嵌めれば、そのスプリング効果で確実な電気的接触が得られるので、一般にも広く利用出来る。【００１８】  三相交流回路の電圧の同時測定にも応用出来る。
【考案を実施するための最良の形態】
【００１９】  図１において、１４の使用材料としては、６００Ｖ  ＩＶ電線を使用すれば、耐電電圧２，５００Ｖ１分間の絶縁耐力があり、充分に安全であり、２と３の部分を簡単にリング状にすることができる。１４の断面積１０ｍｍＳＱ程度の単芯導体のＩＶ電線を使用すればよい。
【実施例】
【００２０】  図７に実際に本考案のテストリードを使用して、片手で三相交流端子台に接触させて、検相作業を行う場合の様子を示す。【００２１】  図８に実際に一人で検相作業を行っている様子を示す。
【産業上の利用可能性】
【００２２】  三相回路に片手で充電部に確実に接触させることが出来るので、例えば三相回路の同時電圧測定器のテストリードにも応用し利用することが出来る。【００２３】  先端部装着部品１や先端部装着１５は、通常の測定機器類のテストリードの先端にも装着可能であるので、多種多様な測定器類のテストリードにも広く採用出来る。
【図面の簡単な説明】
【００２４】
【図１】本考案の三相交流検相器用テストリードの基本図面。
【図２】本考案の三相交流検相器用テストリードを従来の三相交流検相器に接続する場合の図面。
【図３】本考案の三相交流検相器用テストリードの先端部装着部品の外観図
【図４】本考案の三相交流検相器用テストリードの先端部装着部品の横断面図と先端部の図
【図５】本考案の三相交流検相器用テストリードの先端部装着部品の縦断面図と先端部の図
【図６】テストリードのスプリング式先端部装着部品の断面図
【図７】本考案の三相交流検相器用テストリードを利用して検相作業を片手で行っている様子を示す。
【図８】本考案の三相交流検相器用テストリードを利用して一人で検相作業を行っている様子を示す。
【符号の説明】
【００２５】１．三相交流検相器用テストリード先端部装着部品
２．相間隔調整リング状部分
３．指挿入用リング状部分
４．把握部分
５．リード線
６．接続クリップ
７．通常の三相交流検相器
１１．伸縮性円筒状ゴム
１１ａ．円筒状ゴム先端部の切取り部分
１２．編銅線
１２ａ．編銅線の半田付け部分
１２ｂ．編銅線の先端部分
１３．保護プラスチックカバー
１４．通常のテストリードの先端部
１４ａ．通常のテストリード先端部導体
１４ｂ．通常のテストリードの絶縁被服
１５．スプリング式テストリードの先端部装着部品
１５ａ  テストリード先端部導体
１５ｂ．スプリング
１５ｃ．スプリングカバー
１５ｄ．保護カバー
１５ｅ．１５ａと１４ａを電気的に接続する為の導体
【図１】
0003147899.tif 000003
【図２】
0003147899.tif 000004
【図３】
0003147899.tif 000005
【図４】
0003147899.tif 000006
【図５】
0003147899.tif 000007
【図６】
0003147899.tif 000008
【図７】
0003147899.tif 000009
【図８】
0003147899.tif 000010
【手続補正書】
【提出日】平成20年11月17日(2008.11.17)
【手続補正１】
【補正対象書類名】実用新案登録請求の範囲
【補正対象項目名】全文
【補正方法】変更
【補正の内容】
【実用新案登録請求の範囲】
【請求項１】
三相交流回路の検相作業用テストリードであって、該テストリードを構成する三本のテストリード先端部１４の各々の一端に接続した先端部装着部品１と、
前記三本のテストリード先端部１４の各々の他端を固定した把握部分４と、
該把握部分４の内部において前記三本のテストリード先端部１４の各々の他端と接続した三本のリード線５と、
該リード線５に各々接続した接続クリップ６とからなることを特徴とする三相交流検相器用テストリード。
【請求項２】
前記テストリード先端部１４が、一本の指を差し込めるリング状の部分３を有することを特徴とする請求項１記載の三相交流検相器用テストリード。
【請求項３】
前記テストリード先端部１４が、三相の相間隔を指で調整できるリング状の部分２を有することを特徴とする請求項１記載の三相交流検相器用テストリード。
【請求項４】
テストリード先端部１４の各相の先端部に装着する前記先端部装着部品が、前記テストリード先端部１４が嵌入可能な伸縮性の円筒状ゴム１１と、該円筒状ゴム１１の表面を外装した編銅線１２とからなることを特徴とする請求項１記載の三相交流検相器用テストリード。
【請求項５】
前記先端部装着部品が、テストリード先端部導体１４ａと、該テストリード先端部導体１４ａを支持するスプリング１５ｂと、前記テストリード先端部導体１４ａと前記テストリード先端部１４とを接続するための導体１５ｅとからなる接続部材であることを特徴とする請求項１記載の三相交流検相器用テストリード。